(57)【要約】【課題】薄型化しながらも、有害光線が侵入しにくいレンズ鏡筒をおよび撮像装置を提供すること。【解決手段】撮影開口を開閉自在に覆うバリア羽根１２０と、バリア羽根を開閉させるバリア駆動部材１４０と、前記バリア駆動部材１４０を光軸を中心に回転可能に保持する１群レンズ保持部材１５０と、前記１群レンズ保持部材１５０を光軸方向に直進規制し、前記バリア駆動部材１４０と係合して光軸を中心に回転させる直進筒７００とを備えたレンズ鏡筒１０００において、前記バリア羽根１２０の閉じ状態において前記直進筒７００に前記バリア駆動部材１４０の係合部１４１と係合する係合部７０６と隣接した位置に壁部７０５を設けたことを特徴とした。【選択図】  図５
2015022009.tif 000002
【特許請求の範囲】
【請求項１】
撮影開口を開閉自在に覆うバリア羽根１２０と、バリア羽根を開閉させるバリア駆動部材１４０と、前記バリア駆動部材１４０を光軸を中心に回転可能に保持する１群レンズ保持部材１５０と、前記１群レンズ保持部材１５０を光軸方向に直進規制し、前記バリア駆動部材１４０と係合して光軸を中心に回転させる直進筒７００とを備えたレンズ鏡筒１０００において、前記バリア羽根１２０の閉じ状態において前記直進筒７００に前記バリア駆動部材１４０の係合部１４１と係合する係合部７０６と隣接した位置に壁部７０５を設けたことを特徴とするレンズ鏡筒。
【請求項２】
前記直進筒７００が前記バリア羽根１２０の閉じ状態において、前記バリア羽根１２０と光軸方向において重複する位置まで侵入してくることを特徴とする請求項１に記載のレンズ鏡筒。
【請求項３】
前記壁部７０５が撮影状態において、前記１群レンズ保持部材１５０と光軸方向において重複することを特徴とする請求項１又は請求項２に記載のレンズ鏡筒。
【発明の詳細な説明】
【技術分野】
【０００１】
本発明は、撮影用レンズを保護するために撮影用開口を開閉自在に覆うバリア機構を有するレンズ鏡筒に関する。
【背景技術】
【０００２】
従来、この種のレンズ鏡筒としては、次に示すようなものが知られている（特許文献１参照）。
【０００３】
バリアカバーの撮影用開口部を覆うバリア羽根と、バリア羽根を開閉させるバリア駆動部材を備えており、バリア羽根とバリア駆動部材との間にはバリア駆動ばねが設けられている。バリア駆動部材は１群鏡筒に光軸を中心として回転可能に保持されており、１群鏡筒は移動部材によって光軸方向に相対移動可能に保持され、回転筒によって光軸方向に駆動される。
【０００４】
バリアが全閉状態から全開状態に移行する際には、バリア駆動ばねの張力によってバリア駆動部材がバリア羽根を押しながら、全開位置まで回転させられる。
【０００５】
逆にバリアが全開状態から全閉状態に移行する際には、回転筒によって移動部材と１群鏡筒の光軸方向における相対距離が縮められることで、バリア駆動部材は移動部材によって全閉位置まで回転させられバリア羽根はバリア駆動ばねの張力によって閉じ方向に付勢される。このとき、バリア駆動部材を回転させる移動部材の先端部を、全開状態におけるバリア羽根の収納空間に侵入させ小型化を達成している。
【先行技術文献】
【特許文献】
【０００６】
【特許文献１】特開２００８−３３１５３号公報
【発明の概要】
【発明が解決しようとする課題】
【０００７】
しかしながら、特許文献１のようなレンズ鏡筒においては移動部材をバリア羽根の収納空間に侵入させているため、移動部材と１群鏡筒との光軸方向における相対距離が縮まる。そのため、１群鏡筒は移動部材に設けられ回転筒を光軸を中心にして相対回転可能に保持するためのバヨネット部を避けるために大きく切り欠かれる。
【０００８】
このように、切り欠きが大きくなると鏡筒外からの有害光線が侵入しやすくなり画像に写りこんでしまうことがある。
【０００９】
そこで、本発明は薄型化しながらも、有害光線が侵入しにくいレンズ鏡筒をおよび撮像装置を提供することを目的とする。
【課題を解決するための手段】
【００１０】
撮影開口を開閉自在に覆うバリア羽根１２０と、バリア羽根を開閉させるバリア駆動部材１４０と、前記バリア駆動部材１４０を光軸を中心に回転可能に保持する１群レンズ保持部材１５０と、前記１群レンズ保持部材１５０を光軸方向に直進規制し、前記バリア駆動部材１４０と係合して光軸を中心に回転させる直進筒７００とを備えたレンズ鏡筒１０００において、前記バリア羽根１２０の閉じ状態において前記直進筒７００に前記バリア駆動部材１４０の係合部１４１と係合する係合部７０６と隣接した位置に壁部７０５を設けたことを特徴とした。
【発明の効果】
【００１１】
本発明によれば、薄型化しながらも、有害光線が侵入しにくいレンズ鏡筒を提供することができる。
【図面の簡単な説明】
【００１２】
【図１】レンズ鏡筒１０００の分解斜視図
【図２】レンズ鏡筒１０００の沈胴状態における断面図
【図３】レンズ鏡筒１０００の撮影状態における断面図
【図４】レンズ鏡筒１０００の沈胴状態における拡大断面図
【図５】レンズ鏡筒１０００の撮影状態における拡大断面図
【図６】バリア羽根１２０の全開状態における１群ユニットの正面図
【図７】バリア羽根１２０の全閉状態における１群ユニットの正面図
【図８】バリア駆動部材１４０と直進筒７００の撮影状態における斜視図
【図９】バリア駆動部材１４０と直進筒７００の沈胴状態における斜視図
【図１０】１群ユニットと直進筒７００の撮影状態における斜視図
【発明を実施するための形態】
【００１３】
以下に、本発明の実施の形態を、添付の図面に基づいて詳細に説明する。
【実施例１】
【００１４】
図１は本発明の実施の形態にかかわるレンズ鏡筒１０００の分解斜視図、図２はレンズ鏡筒１０００の沈胴状態における断面図、図３はレンズ鏡筒１０００の撮影状態における断面図、図４はレンズ鏡筒１０００の沈胴状態における拡大断面図、図５はレンズ鏡筒１０００の撮影状態における拡大断面図、図６はバリア羽根１２０の全閉状態における１群ユニットの正面図、図７はバリア羽根１２０の全開状態における１群ユニットの正面図、図８はバリア駆動部材１４０と直進筒７００の沈胴状態における斜視図、図９はバリア駆動部材１４０と直進筒７００の撮影状態における斜視図、図１０は１群ユニットと直進筒７００の撮影状態における斜視図である。
【００１５】
図１において、１５０は１群レンズ１００を保持する１群レンズ保持部材であり、３本のフォロアピン１５１が１２０°等分に一体で形成されている。１１０は撮影用開口１１１を有するカバー部材、１２０は撮影用開口１１１を開閉自在に覆うバリア羽根である。
【００１６】
１４０はバリア羽根１２０を駆動するバリア駆動部材であり、１群レンズ保持部材に光軸を中心に相対回転可能に保持されている。１３０はバリア羽根１２０とバリア駆動部材１４０の間に設けられ駆動力を伝達する付勢部材である。
【００１７】
２１０は２群レンズ２００を保持する２群レンズ保持部材であり、３本のフォロアピン２１１が１２０°等分に一体で形成されている。
【００１８】
３１０は３群レンズ３００を保持する３群レンズ保持部材である。
【００１９】
４００は絞りシャッタ部材であり、撮影時における光量を調節する。また、３本のフォロアピン４０１が１２０°等分に一体で形成されている。
【００２０】
図１〜図３において５００は内周面に、１群レンズ保持部材１５０のフォロアピン１５１と２群レンズ保持部材２１０のフォロアピン２１１、絞りシャッタ部材４００のフォロアピン４０１とそれぞれ嵌合し、光軸方向に移動させる１群カム溝５０２、２群カム溝５０３、絞りシャッタカム溝５０４を有するカム筒である。また、カム筒５００には外周面に１２０等分に一体で形成された３本のフォロアピン５０１とギア部５０２を有している。
【００２１】
６００は内周面に、カム筒５００のフォロアピン５０１と嵌合し光軸方向に移動させるカム溝６０１を有する固定筒である。
【００２２】
図１０において７００は、１群レンズ保持部材１５０と２群レンズ保持部材２１０、絞りシャッタ部材４００を光軸方向に直進規制する直進溝７０１、７０２、７０３を有する直進筒である。
【００２３】
また、この直進筒７００はカム筒５００を光軸を中心に相対回転可能に保持するためのバヨネット部７０４を有している。
【００２４】
８００は、撮像素子９００を保持する撮像素子保持部材であり、カム筒５００のギア部５０２に噛み合うことで回転駆動力を供給するズーム駆動部８１０と３群レンズ保持部材３１０を光軸方向に駆動させるフォーカス駆動部８２０を備えている。フォーカス駆動部８２０によって３群レンズ保持部材３１０は光軸方向に移動可能となり、その位置を変えることでピントを合わせることが可能となる。
【００２５】
続いて、ズーム動作について説明する。
【００２６】
カメラを起動させると、ズーム駆動部８１０に通電が開始され不図示のズームモーターの回転をギア列が伝達し、このギア列とギア部５０２で噛み合うカム筒５００も光軸を中心に回転される。そしてカム筒５００は回転されると、フォロアピン５０１が固定筒６００のカム溝６０１と係合しているため、カム溝６０１に沿って光軸方向に移動される。また、カム筒５００の回転に伴い、１群カム溝５０２、２群カム溝５０３、絞りシャッタカム溝５０４が１群レンズ保持部材１５０、２群レンズ保持部材２１０、絞りシャッタ部材４００のフォロアピン１５１、２１１、４０１と係合しているため、それぞれがカム溝に沿って直進筒７００に直進規制されながら、それぞれ光軸方向に移動される。このようにして、各レンズ群の光軸方向における間隔を変化させることによってズーム動作させる。
【００２７】
続いて、バリア開閉動作について説明する。
【００２８】
図３、図６、図８のように、バリア羽根１２０が開き状態にある時（カメラが撮影状態にある時）バリア駆動部材１４０と直進筒７００は光軸方向に距離を離して位置している。この状態から沈胴状態に移行していくと、１群レンズ保持部材１５０がカム溝５０２に沿って撮像素子９００に近づく方向へ駆動されるため、１群レンズ保持部材１５０に伴ってバリア駆動部材１４０も駆動され、直進筒７００との光軸方向における距離が縮まっていき、バリア駆動部材１４０の係合部１４１が直進筒７００の係合部７０６と係合し始める。また、係合部１４１、７０６には斜面が設けられているので、この斜面に沿ってバリア駆動部材１４０が回転させられる。
【００２９】
このように、バリア駆動部材１４０が回転させられると、バリア羽根１２０はバリア駆動部材１４０との間に設けられた付勢部材１３０によってバリア羽根１２０が閉じ方向へと付勢される。そこから図２、図７、図９のように沈胴状態まで移行が完了すると、バリア羽根１２０はカバー部材１１０の撮影用開口部１１１を十分に覆うまで回転させられ全閉状態になる。この沈胴状態においては図４のように、直進筒７００が光軸方向においてバリア羽根１２０と重複する高さまで侵入させている（バリア羽根１２０の全開状態における収納スペースまで侵入させている）ため、レンズ鏡筒内のスペースを効率的に使用することが出来るため、薄型化を達成できる。
【００３０】
逆に沈胴状態から撮影状態に移行する際には、バリア駆動部材１４０と直進筒７００の光軸方向における距離が離れていき、バリア駆動部材１４０は付勢部材１３０の付勢力によって回転しながら直進筒７００との係合が解除されていく。バリア駆動部材１４０が回転すると、当接部１４２がバリア羽根１２０をカバー部材１１０の撮影用開口１１１を十分に開くまで押していき、全開状態となる。
【００３１】
次に、図５、図１０を用いてレンズ鏡筒外から侵入してくる有害光線について説明する。
【００３２】
まず、直進筒７００には１群レンズ保持部材１５０と２群レンズ保持部材２１０、絞りシャッタ部材４００を光軸方向に直進規制する直進溝７０１、７０２、７０３を１２０°等分に３箇所設けている。また、カム筒５００を光軸を中心にして相対回転可能に保持するためのバヨネット部７０４も１２０°等分に３箇所設けている。直進溝７０１、７０２、７０３は光軸方向において分断するようなことはできないため、カム筒５００に向かって外周方向に突出させなければならないバヨネット部７０４は、直進溝７０１、７０２、７０３とは光軸と直交する平面内において重複する位相には配置することはできず、１２０°等分に配置された３箇所の直進溝７０１、７０２、７０３の間の位相に配置される。また、沈胴状態においてバヨネット部７０４を逃げるため１群レンズ保持部材１５０には切り欠き部１５２が設けられる。
【００３３】
さらに直進筒７００にはバリア駆動部材１４０の係合部１４１と係合し回転させる係合部７０６を有しているが、この係合部７０６もまた直進溝７０１、７０２、７０３と光軸と直交する平面内において重複する位相には配置出来ないため、１２０°等分に配置された３箇所の直進溝７０１、７０２、７０３の間の位相に配置される。
【００３４】
この時、１群レンズ保持部材１５０の切り欠き部１５２と直進筒７００の係合部７０６は光軸と直交する平面内において重複する位相に位置することになる。
【００３５】
この重複する位相における拡大断面図が図５である。図５において、矢印で示したレンズ鏡筒外からの有害光線は、１群レンズ保持部材１５０とカム筒５００の隙間から侵入し、カム筒５００の内壁や１群レンズカム溝５０２等に反射してレンズ鏡筒内へと光路を変え撮像素子９００に到達する。前述したように、１群レンズ保持部材１５０には切り欠き部１５２が設けられているため、図５の位相においてレンズ鏡筒外からの有害光線の侵入を許しやく、また従来のように直進筒７００の係合部７０６が切り欠かれていると撮像素子９００まで到達しやすい構造となっている。しかし本実施例では、上記のような有害光線の侵入経路上において、直進筒７００に壁部７０５（図５の網掛け部）を係合部７０６に隣接して設けているため、有害光線をその経路上で遮断し撮像素子９００に到達することを防ぐことができる。
【００３６】
さらに図５において、壁部７０５は１群レンズ保持部材１５０と光軸方向においてオーバーラップしているので、外力による１群レンズ保持部材１５０の変形を抑えることが出来るため、例えば１群レンズ保持部材１５０のフォロアピン１５１がカム筒５００の１群カム溝５０２から脱臼してしまう可能性を減少させることが出来る。
【００３７】
また、壁部７０５は撮影状態から沈胴状態への移行時にバリア駆動部材１４０の係合部１４１と接近するため、先端部にテーパ形状を設け引っかかりを防止している。
【００３８】
以上により、薄型化しながらも、有害光線が侵入しにくいレンズ鏡筒を提供することができる。
【００３９】
なお、本発明は上記実施形態に例示したものに限定されるものではなく、本発明の要旨を逸脱しない範囲において適宜変更可能である。
【符号の説明】
【００４０】
１００    １群レンズ
１１０    カバー部材
１２０    バリア羽根
１３０    付勢部材
１４０    バリア駆動部材
１５０    １群レンズ保持部材
２００    ２群レンズ
２１０    ２群レンズ保持部材
３００    ３群レンズ
３１０    ３群レンズ保持部材
４００    絞りシャッタ部材
５００    カム筒
６００    固定筒
７００    直進筒
８００    撮像素子保持部材
９００    撮像素子
【図１】
2015022009.tif 000003
【図２】
2015022009.tif 000004
【図３】
2015022009.tif 000005
【図４】
2015022009.tif 000006
【図５】
2015022009.tif 000007
【図６】
2015022009.tif 000008
【図７】
2015022009.tif 000009
【図８】
2015022009.tif 000010
【図９】
2015022009.tif 000011
【図１０】
2015022009.tif 000012